(57)【要約】【課題】  電源供給状態のまま、電池を交換できるようにする。【解決手段】  本体装着の電池１２は、逆流防止ダイオード１４を介して電源供給端子１６に接続し、電池パック１８は外部接続端子２４を介して電源供給端子１６に接続する。マイクロコンピュータ３０は、電池パック１８の接続されていない時には、スイッチ２８に基準電圧Ｖａを選択させ、電池パック１８の接続時には基準電圧Ｖｂ（＞Ｖａ）を選択させる。比較回路２６は、電源供給端子１６の電圧とスイッチ２８からの基準電圧を比較し、電源供給端子１６の電圧の方が低くなると、出力を高レベルにする。マイクロコンピュータ３０は、比較回路２６の高レベル出力に応じて文字情報発生回路３２に電池消耗を示す文字情報を発生させる。その文字情報は、加算器３６及び映像出力端子３８を介して映像モニタ４０に印加され、映像表示される。【選択図】  図１
2006133231.tif 000002
【特許請求の範囲】
【請求項１】
第１の電池及び第２の電池の使用が可能な電池駆動機器であって、
前記第２の電池の接続を検知する接続検知手段と、
前記接続検知手段の検知結果に従い、前記第２の電池が接続されていない場合には、第１の基準値を選択し、前記第２の電池が接続されている場合には、前記第１の基準値より大きい第２の基準値を選択する選択手段と、
前記第１及び第２の電池の出力電圧を前記選択手段で選択された基準値と比較する比較手段と、
前記比較手段の結果に従い、電池消耗を警告する警告情報の表示の要否を制御する制御手段と
を有することを特徴とする電池駆動機器。
【請求項２】
第１の電池及び第２の電池の使用が可能な電池駆動機器であって、
前記第１の電池が接続されているが、前記第２の電池が接続されていない場合は、電池の消耗を警告する警告情報を表示手段に供給するか否かを第１の基準値を用いて判定し、前記第１の電池及び前記第２の電池が接続されている場合は、前記警告情報を前記表示手段に供給するか否かを前記第１の基準値よりも高い第２の基準値を用いて判定する判定手段を有することを特徴とする電池駆動機器。
【請求項３】
記録媒体から再生された映像に前記警告情報を合成又スーパーインポーズすることを特徴とする請求項１又は２に記載の電池駆動機器。
【発明の詳細な説明】
【技術分野】
【０００１】
本発明は、電池駆動機器に関し、より具体的には、電池を電源として動作する携帯機器又は小型電子電気機器のような電池駆動機器に関する。
【背景技術】
【０００２】
図５は、複数の電池を利用可能な携帯型磁気記録再生装置の電池管理部分の従来例の概略構成ブロック図を示す。１１０は、磁気記録再生装置の本体である。１１２は本体１１０に装着された電池であり、その出力電圧は逆流防止ダイオード１１４を介して電源供給端子１１６に接続する。外部接続の電池パック１１８は、２つの電池１２０ａ，１２０ｂを逆流防止ダイオード１２２ａ，１２２ｂにより並列接続した構成になっており、その出力電圧は、外部接続端子１２４を介して電源供給端子１１６に接続する。図５では、本体装着の電池１１２と外部の電池パック１１８が並列に電源供給端子１１６に接続することになる。電源供給端子１１６は、本体１１０の各部の電源入力端子に接続する。これにより、本体１１０の各部には、本体装着の電池１１２及び／又は電池パック１１８から動作に必要な電力を供給される。
【０００３】
比較回路１２６の一方の入力には、電源供給端子１１６の電圧が印加され、他方の入力には、本体１１０が確実に動作する最低の電池出力電圧値に相当する基準電圧Ｖｒｅｆが印加される。比較回路１２６は両電圧を比較し、電源供給端子１１６の電圧が基準電圧Ｖｒｅｆより低くなると、出力を高レベルにする。マイクロコンピュータ１２８は、比較回路１２６の出力が高レベルになると、文字情報発生回路１３０に電池消耗を使用者に警告する文字情報を発生させる。
【０００４】
記録再生回路１３２は、記録媒体に映像音声を記録し再生する回路であり、記録媒体に記録している映像信号、記録媒体から再生した映像信号、その他の映像信号を加算器１３４に出力する。加算器１３４にはまた、文字情報発生回路１３０の出力が印加されており、加算器１３４は、記録再生回路１３２からの映像信号に文字情報発生回路１３０からの文字情報を合成又はスーパーインポーズする。加算器１３４の出力は、映像出力端子１３６を介して映像モニタ１３８に印加される。
【０００５】
電池１１２及び電池パック１１８の何れか一方に電力が保持されており、電源供給端子１１６の電圧が基準電圧Ｖｒｅｆより高い場合には、比較回路１２６の出力は低レベルのままとなり、マイクロコンピュータ１２８は、文字情報発生回路１３０に電池消耗を警告する文字情報を出力させない。
【０００６】
その後、電池１１２及び電池パック１１８のどちらも消耗して、電源供給端子１１６の電圧が基準電圧Ｖｒｅｆより低くなると、比較回路１２６の出力が高レベルになり、これに応じてマイクロコンピュータ１２８は、文字情報発生回路１３０に電池消耗を警告する文字情報を出力させる。文字情報発生回路１３０が出力する警告の文字情報は、加算器１３４及び映像出力端子１３６を介してモニタ１３８に印加され、映像表示される。例えば、図６に示すような警告がモニタ１３８の画面に表示される。このような警告は、モニタ画面でなく、操作パネル面に表示されることもある。
【発明の開示】
【発明が解決しようとする課題】
【０００７】
従来例では、基準電圧Ｖｒｅｆは、磁気記録再生装置１１０の動作時間を出来る限り長くできるように、装置全体が問題なく動作できる最低のバッテリ電圧に設定されている。即ち、基準電圧Ｖｒｅｆは、電池がほぼ消耗し切った場合の電圧に設定されているのが普通である。従って、従来例では、電池消耗の警告表示が出力された後に、磁気記録再生装置１１０を動作させたままの状態では電池１１２又は電池パック１１８を交換できない。何故ならば、磁気記録再生装置１１０を動作させたままで電池１１２（又は電池パック１１８）を交換しようとすると、電池１１２（又は電池パック１１８）を外した時点で、残った電池パック１１８（又は電池１１２）の出力電流が急増し、電池内部抵抗及び配線抵抗の電圧降下により電源供給端子１１６における電圧が急低下する。これにより、装置１１０の動作に必要な電力を確保できなくなるからである。
【０００８】
本発明は、このような問題点を解決しようとするものであり、動作させながらの電池交換を可能にする電池駆動機器を提供することを目的とする。
【課題を解決するための手段】
【０００９】
本発明に係る電池駆動機器は、例えば、第１の電池及び第２の電池の使用が可能な電池駆動機器であって、前記第２の電池の接続を検知する接続検知手段と、前記接続検知手段の検知結果に従い、前記第２の電池が接続されていない場合には、第１の基準値を選択し、前記第２の電池が接続されている場合には、前記第１の基準値より大きい第２の基準値を選択する選択手段と、前記第１及び第２の電池の出力電圧を前記選択手段で選択された基準値と比較する比較手段と、前記比較手段の結果に従い、電池消耗を警告する警告情報の表示の要否を制御する制御手段とを有することを特徴とする。
【００１０】
本発明に係る他の電池駆動機器は、例えば、第１の電池及び第２の電池の使用が可能な電池駆動機器であって、前記第１の電池が接続されているが、前記第２の電池が接続されていない場合は、電池の消耗を警告する警告情報を表示手段に供給するか否かを第１の基準値を用いて判定し、前記第１の電池及び前記第２の電池が接続されている場合は、前記警告情報を前記表示手段に供給するか否かを前記第１の基準値よりも高い第２の基準値を用いて判定する判定手段を有することを特徴とする。
【発明の効果】
【００１１】
本発明によれば、電池の交換をそれらの消耗状態に応じて適切に使用者に促すことができ、電源供給状態のままで電池を交換できる。これにより、電池交換を適切に行なえるようになる。
【発明を実施するための最良の形態】
【００１２】
以下、図面を参照して、本発明の実施例を詳細に説明する。
【００１３】
図１は、携帯型磁気記録再生装置に適用した本発明の第１実施例の概略構成ブロック図を示す。１０は磁気記録再生装置の本体であり、電池１２が装着されている。電池１２は、逆流防止ダイオード１４を介して電源供給端子１６に接続する。外部接続の電池パック１８は、２つの電池２０ａ，２０ｂを逆流防止ダイオード２２ａ，２２ｂにより並列接続した構成になっており、その出力電圧は、外部接続端子２４を介して電源供給端子１６に接続する。従来例と同様に、本体装着の電池１２と外部の電池パック１８が並列に電源供給端子１６に接続することになる。電源供給端子１６は、本体１０の各部の電源入力端子に接続する。これにより、本体１０の各部には、本体装着の電池１２及び／又は電池パック１８から動作に必要な電力を供給される。
【００１４】
比較回路２６の一方の入力には、電源供給端子１６の電圧が印加され、他方の入力には、２つの基準電圧Ｖａ，Ｖｂをスイッチ２８で選択した電圧が印加される。比較回路２６は２つの入力電圧を比較し、電源供給端子１６の電圧がスイッチ２８により選択された基準電圧Ｖａ又はＶｂより低くなると、出力を高レベルにする。基準電圧Ｖａは、外部の電池パック１８を接続せずに、電池１２のみで装置１０を動作させたときに、装置１０が確実に動作する電源供給端子１６の電圧に相当する電圧値に設定されている。また、基準電圧Ｖｂは、電池１２及び電池パック１８を共に接続した状態で装置１０を動作させたときの電源供給端子１６の電圧と、この状態から電池パック１８を外した場合に電源供給端子１６で測定される電圧との差電圧を、基準電圧Ｖａに加算した電圧に設定される。
【００１５】
マイクロコンピュータ３０は、比較回路２６の出力が高レベルになると、文字情報発生回路３２に電池消耗を使用者に警告する文字情報を発生させる。詳細は後述するが、マイクロコンピュータ３０は、外部接続端子２４に外部の電池パック１８が接続されているか否かを検出し、その検出結果に従いスイッチ２８を切り替える。電池パック１８が接続されていない場合には、スイッチ２８に基準電圧Ｖａを選択させ、電池パック１８が接続されている場合には、基準電圧Ｖｂを選択させる。
【００１６】
記録再生回路３４は、記録再生回路１３２と同様に、記録媒体に映像音声を記録し再生する回路であり、記録媒体に記録している映像信号、記録媒体から再生した映像信号、その他の映像信号を加算器３６に出力する。加算器３６にはまた、文字情報発生回路３２の出力が印加されており、加算器３６は、記録再生回路３４からの映像信号に文字情報発生回路３２からの文字情報を合成又はスーパーインポーズする。加算器３６の出力は、映像出力端子３８を介して映像モニタ４０に印加される。
【００１７】
図２は、図１に示す実施例の電池管理のフローチャートである。図示しない電源スイッチの投入により、マイクロコンピュータ３０は先ず、外部の電池パック１８が接続されているか否かを検出し（Ｓ１）、電池パック１８が接続されていない場合には、スイッチ２８に基準電圧Ｖａを選択させ（Ｓ２）、電池パック１８が接続されている場合には、スイッチ２８に基準電圧Ｖｂを選択させる（Ｓ３）。これにより、外部の電池パック１８が接続されていない場合には、基準電圧Ｖａを基準に電源電池の消耗が判定され、電池パック１８が接続されている場合には、基準電圧Ｖｂを基準に電源電池の消耗が判定されることになる。
【００１８】
次に、マイクロコンピュータ３０は、比較回路２６の出力レベルを調べ（Ｓ４）、高レベルになっていれば、図６に示すような電池の消耗を示す警告情報を文字情報発生回路３２に発生させる。文字情報発生回路３２の出力する警告情報は、加算器３６及び映像出力端子３８を介してモニタ装置４０に印加され、モニタ装置４０の画面上に映像表示される。
【００１９】
比較回路２６、スイッチ２８及び基準電圧Ｖａ，Ｖｂの機能は、マイクロコンピュータ３０の内部に取り込むことが可能である。図３は、そのようにした変更例の概略構成ブロック図である。図１と同じ構成要素には同じ符号を付してある。４２は、比較回路２６、スイッチ２８及び基準電圧Ｖａ，Ｖｂの機能を取り込んだマイクロコンピュータ、４４は、電源供給端子１６の電圧をアナログ／ディジタル変換してマイクロコンピュータ４２に供給するＡ／Ｄ変換器である。
【００２０】
図４は、図３に示す実施例のフローチャートを示す。図示しない電源スイッチの投入により、マイクロコンピュータ４２は先ず、Ａ／Ｄ変換器４４の出力値（電源供給端子１６の電圧値）を読み込む（Ｓ１１）。電池パック１８が接続されているか否かを調べ（Ｓ１２）、電池パック１８が接続されていない場合には、Ｓ１１で取り込んだＡ／Ｄ変換器４４の出力値を基準電圧Ｖａに相当する基準データ値と比較し（Ｓ１３）、電池パック１８が接続されている場合には、Ｓ１１で取り込んだＡ／Ｄ変換器４４の出力値を基準電圧Ｖｂに相当する基準データ値と比較する（Ｓ１４）。
【００２１】
Ｓ１１で取り込んだＡ／Ｄ変換器４４の出力値が、基準電圧Ｖａ，Ｖｂに相当する基準データ値より低い場合（Ｓ１２，Ｓ１３）、マイクロコンピュータ４２は、電源電池が消耗していると判断し、図６に示すような電池の消耗を示す警告情報を文字情報発生回路３２に発生させる。文字情報発生回路３２の出力する警告情報は、加算器３６及び映像出力端子３８を介してモニタ装置４０に印加され、モニタ装置４０の画面上に映像表示される。
【００２２】
図１及び図３に示す実施例では、電源電池の消耗を判定する基準値として、外部の電池パックが接続されているときには、接続されていないときより高い基準値を採用するので、本体装着の電池と外部の電池パックを両方使用しているときに、電源消耗の警告が早期に出力される。この結果、装置を動作させたまた、即ち電源供給状態のままで、余裕を持って本体装着の電池又は外部の電池パックを交換できる。
【００２３】
次に、本体装着の電池と外部の電池パック（又は複数の電源電池）を交換すべきかをユーザに通知するようにした実施例を説明する。図７は、その実施例の概略構成ブロック図を示す。
【００２４】
図７において、２１０は磁気記録再生装置の本体であり、電池２１２が装着されている。電池２１２は、逆流防止ダイオード２１４を介して電源供給端子２１６に接続する。外部接続の電池パック２１８は、２つの電池２１８ａ，２１８ｂを並列接続した構成になっており、その出力電圧は、外部接続端子２２０及び逆流防止ダイオード２２２を介して電源供給端子２１６に接続する。先に説明した実施例と同様に、本体装着の電池２１２と外部の電池パック２１８が並列に電源供給端子２１６に接続することになる。電源供給端子２１６は、本体２１０の各部の電源入力端子に接続する。これにより、本体２１０の各部には、本体装着の電池２１２及び／又は電池パック２１８から動作に必要な電力を供給される。
【００２５】
２２４は電池２１２の出力電圧をディジタル値に変換するＡ／Ｄ変換器、２２６は電池パック２１８の出力電圧をディジタル値に変換するＡ／Ｄ変換器、２２８は、電源供給端子２１６の電圧をディジタル値に変換するＡ／Ｄ変換器であり、これらのディジタル出力はマイクロコンピュータ２３０に印加される。マイクロコンピュータ２３０にはまた、外部接続端子２２０に電池パック２１８が接続されているかどうかを示す信号も供給される。詳細は後述するが、マイクロコンピュータ２３０は、電池パック２１８の接続の有無及びＡ／Ｄ変換器２２４，２２６，２２８の出力に従い、電源電池の消耗を警告すべきか否かを判定する。
【００２６】
マイクロコンピュータ２３０は、電源電池の消耗を警告すべき所定条件以下では、文字情報発生回路２３２に電池消耗を使用者に警告する文字情報を発生させる。
【００２７】
記録再生回路２３４は、記録再生回路１３２，３４と同様に、記録媒体に映像音声を記録し再生する回路であり、記録媒体に記録している映像信号、記録媒体から再生した映像信号、その他の映像信号を加算器２３６に出力する。加算器２３６にはまた、文字情報発生回路２３２の出力が印加されており、加算器２３６は、記録再生回路２３４からの映像信号に文字情報発生回路２３２からの文字情報を合成又はスーパーインポーズする。加算器２３６の出力は、映像出力端子２３８を介して映像モニタ２４０に印加される。
【００２８】
図８は、図７に示す実施例の動作フローチャートを示す。図示しない電源スイッチが投入されると、マイクロコンピュータ２３０はＡ／Ｄ変換器２２８の出力（電源供給端子２１６の電圧）を取り込んでメモリに記憶し（Ｓ２１）、その電圧値を、電池パック２１８のみで装置２１０を動作させた場合に装置２１０が確実に動作する電源供給端子２１６の電圧値（基準電圧１）と比較する（Ｓ２２）。
【００２９】
電源供給端子２１６の電圧がその基準電圧１以上の場合（Ｓ２２）、Ｓ２１に戻る。電源供給端子２１６の電圧がその基準電圧１より低い場合（Ｓ２２）、マイクロコンピュータ２３０は文字情報発生回路２３２に図９に示すような警告に相当する文字情報を発生させる（Ｓ２３）。文字情報発生回路２３２の出力する警告情報は、加算器２３６及び映像出力端子２３８を介してモニタ装置２４０に印加され、モニタ装置２４０の画面上に映像表示される。
【００３０】
警告表示（Ｓ２３）の後、外部接続端子２２０からの信号により、外部の電池パック２１８の接続の有無を確認する（Ｓ２４）。電池パック２１８が接続されていなければ（Ｓ２４）、Ｓ２１に戻り、電池パック２１８が接続されていれば（Ｓ２４）、マイクロコンピュータ２３０は、文字情報発生回路２３２に図１０に示すような警告に相当する文字情報を発生させ、モニタ装置２４０の画面に表示させる（Ｓ２５）。これにより電池パックの交換をユーザに促す。
【００３１】
電池パック２１８の交換を確認するため、Ａ／Ｄ変換器２２６の出力データを取り込み（Ｓ２６）、Ｓ２１で取り込んだ電圧値と比較する（Ｓ２７）。Ａ／Ｄ変換器２２６の出力値がＳ２１で取り込んだ電圧値より大きくなるまで、Ａ／Ｄ変換器２２６の出力値の取り込みを繰り返す。Ａ／Ｄ変換器２２６の出力値がＳ２１で取り込んだ電圧値より大きくなっていれば、電池パック２１８が交換されたと判断する。
【００３２】
電池パック２１８が交換されたら（Ｓ２７）、マイクロコンピュータ２３０は、Ａ／Ｄ変換器２２６の出力値をメモリに記憶し、図１０に示す警告表示を消去し（Ｓ２８，Ｓ２９）、図１１に示すような、内部電池２１２の交換を促す電池交換メッセージを文字情報発生回路２３２に発生させ、モニタ装置２４０の画面に表示させる（Ｓ３０）。
【００３３】
電池２１２の交換を確認するため、Ａ／Ｄ変換器２２４の出力データを取り込み（Ｓ３１）、電池パック２１８交換後のＡ／Ｄ変換器２２６の出力値と比較し（Ｓ３２）、前者が後者より大きくなるまで、Ｓ３１を繰り返す。Ａ／Ｄ変換器２２４の出力データが、電池パック２１８交換後のＡ／Ｄ変換器２２６の出力値より大きくなると、本体装着の電池２１２が交換されたと判断し、図１１に示すメッセージの表示を止める（Ｓ３３）。
【００３４】
図１２は、図７に示す実施例の変更例の概略構成ブロック図を示す。３１０は磁気記録再生装置の本体であり、電池３１２が装着されている。電池３１２は、逆流防止ダイオード３１４を介して、装置３１０のシステム制御回路に電源を供給する電源供給端子３１６に接続する。電池３１２はまた、選択スイッチ３１８のａ接点に接続し、選択スイッチ３１８の共通接点は、システム制御回路を除いた、装置３１０の各部に電源を供給する電源供給端子３２０に接続する。
【００３５】
外部接続の電池パック３２２は、２つの電池３２２ａ，３２２ｂを並列接続した構成になっており、外部接続端子３２４に接続自在である。外部接続端子３２４は、逆流防止ダイオード３２６を介して電源供給端子３１６に接続すると共に、スイッチ３１８のｂ接点にも接続する。従って、システム制御回路には、電池３１２及び／又は電池パック３２２から電源が供給され、システム制御回路以外の各部には、選択スイッチ３１８により選択される電池３１２又は電池パック３２２から電源が供給される。
【００３６】
３２８は電池３１２の出力電圧をディジタル値に変換するＡ／Ｄ変換器、３３０は電池パック３２２の出力電圧をディジタル値に変換するＡ／Ｄ変換器であり、これらのディジタル出力はマイクロコンピュータ３３２に印加される。マイクロコンピュータ３３２にはまた、外部接続端子３２４に電池パック３２２が接続されているかどうかを示す信号も供給される。詳細は後述するが、マイクロコンピュータは、電池パック３２２の接続の有無及びＡ／Ｄ変換器３２８，３３０の出力に従い、電源電池の消耗を警告すべきか否かを判定する。
【００３７】
マイクロコンピュータ３３２は、電源電池の消耗を警告すべき所定条件以下では、文字情報発生回路３３４に電池消耗を警告し電池交換を促す文字情報を発生させる。
【００３８】
記録再生回路３３６は、記録再生回路１３２，３４，２３４と同様に、記録媒体に映像音声を記録し再生する回路であり、記録媒体に記録している映像信号、記録媒体から再生した映像信号、その他の映像信号を加算器３３８に出力する。加算器３３８にはまた、文字情報発生回路３３４の出力が印加されており、加算器３３８は、記録再生回路３３６からの映像信号に文字情報発生回路３３４からの文字情報を合成又はスーパーインポーズする。加算器３３８の出力は、映像出力端子３４０を介して映像モニタ３４２に印加される。
【００３９】
図１３は図１２に示す実施例の動作フローチャートを示す。図示しない電源スイッチが投入されると、マイクロコンピュータ３３２は、Ａ／Ｄ変換器３３０の出力（電池パック３２２の出力電圧）を取り込んで内蔵メモリに一時記憶し（Ｓ４１）、Ａ／Ｄ変換器３２８の出力（電池３１２の出力電圧）を取り込み、内蔵メモリに一時記憶する（Ｓ４２）。
【００４０】
電池パック３２２が接続されているか否かを調べ（Ｓ４３）、接続されている場合には、Ｓ４１で取り込んだ電池パック３２２の出力電圧値と、装置３１０の全体が確実に動作する電源供給端子３２０の最低電圧値に相当する基準値１と比較する（Ｓ４４）。電池パック３２２の出力電圧が十分であれば（Ｓ４４）、マイクロコンピュータ３３２はスイッチ３１８をｂ接点に接続する（Ｓ４５）。これにより、システム制御回路以外の部分には、電池パック３２２から電力が供給される。
【００４１】
電池パック３２２の出力電圧が基準値１より低い場合（Ｓ４４）、Ｓ４２で取り込んだＡ／Ｄ変換器３２８の出力（電池３１２の出力電圧）を、基準値１と比較する（Ｓ４６）。Ａ／Ｄ変換器３２８の出力が基準値１以上であれば（Ｓ４６）、文字情報発生装置３３４に図１４に示すような電池交換メッセージを示す文字情報を出力させ、モニタ装置３４２の画面に表示させる（Ｓ４７）。これと同時又は前後して、マイクロコンピュータ３３２はスイッチ３１８をａ接点に接続し、システム制御回路以外の部分への電源として電池３１２を選択する（Ｓ４８）。
【００４２】
Ａ／Ｄ変換器３２８の出力が基準値１より小さい場合（Ｓ４６）、電池３１２の残量も不足気味になっていることになるが、マイクロコンピュータ３３２はスイッチ３１８をａ接点に接続してシステム制御回路以外の部分への電源として電池３１２を選択し（Ｓ４９）、その後、文字情報発生回路３３４に図９に示すような電池消耗の警告メッセージの文字情報を発生させる（Ｓ５０）。
【００４３】
電池パック３２２が接続されていない場合（Ｓ４３）、マイクロコンピュータ３３２は、Ｓ４２で取り込んだＡ／Ｄ変換器３２８の出力（電池３１２の出力電圧）を、基準値１と比較する（Ｓ５１）。Ａ／Ｄ変換器３２８の出力が基準値１以上の場合（Ｓ５１）、マイクロコンピュータ３３２はスイッチ３１８をａ接点に接続し、システム制御回路以外の部分への電源として電池３１２を選択する（Ｓ５２）。Ａ／Ｄ変換器３２８の出力が基準値１より小さい場合（Ｓ５１）、マイクロコンピュータ３３２はスイッチ３１８をａ接点に接続してシステム制御回路以外の部分への電源として電池３１２を選択し（Ｓ４９）、その後、文字情報発生回路３３４に図９に示すような電池消耗の警告メッセージの文字情報を発生させる（Ｓ５０）。
【００４４】
図７及び図１２に示す実施例では、本体装着の電池２１２，３１２と外部の電池パック２１８，３２２の交換を、それらの消耗状況に応じて適切に使用者に促すことができ、装置を電源供給状態においたままで電池パック２１８，３２２及び電池２１２，３１２を交換できる。
【００４５】
次に、複数の電池の消耗状態を個別に表示する実施例を説明する。図１５は、カメラ一体型記録再生装置に適用した実施例の概略構成ブロック図である。
【００４６】
図１５を説明する。４１０はカメラ一体型記録再生装置の本体であり、撮影レンズ４１２、撮影レンズ４１２による光学像を電気信号に変換する撮像素子４１４、撮像素子４１４の出力信号をカメラ信号処理（ホワイト・バランス補正及びガンマ補正など）するカメラ信号処理回路４１６、カメラ信号処理回路４１６の出力映像信号をビデオ・テープに記録する記録系４１８、全体を制御するシステム制御回路となるマイクロコンピュータ４２０、マイクロコンピュータ４２０により指示されたメッセージ、その他の情報を示す映像信号を発生するキャラクタ・ジェネレータ（ＣＧ）４２２、カメラ信号処理回路４１６の出力映像信号にＣＧ４２２の出力信号を合成又はスーパーインポーズする加算器４２４、及び加算器４２４から出力される映像信号を画像表示する電子ビュー・ファインダ（ＥＶＦ）４２６を具備する。
【００４７】
本体４１０には、２系統の電源接続端子があり、一方の電源接続端子４２８ａ，４２８ｂには、通常の場合の電源となる電池４３０が接続される。他方の電源接続端子４３２ａ，４３２ｂ，４３２ｃには２つの電池４３４，４３６を接続できる。端子４３２ｃが端子４３２ａ，４３２ｂに対する共通のマイナス端子になる。電池４３０は本体４１０に取り付けられて接続端子４２８ａ，４２８ｂに実質的に直接接続されるが、端子電池４３４，４３６は例えば、外付け電池用ホルダー４３８に収容され、電源ケーブルを介して端子４３２ａ，４３２ｂ，４３２ｃに接続される。
【００４８】
接続端子４２８ａ，４３２ａ，４３２ｂは、スイッチ４４０の選択接点に接続し、スイッチ４４０の共通接点はＤＣ／ＤＣコンバータ４４２のＤＣ入力に接続する。スイッチ４４０は使用者が操作でき、何れの電池４３０，４３４，４３６の出力電圧をＤＣ／ＤＣコンバータ４４２に供給すべきかを任意に選択できる。ＤＣ／ＤＣコンバータ４４２は、本体４１０の各部に、必要な電源電圧を供給する。
【００４９】
また、接続端子４２８ａ，４３２ａ，４３２ｂの電圧はそれぞれ、分圧用の抵抗４４４，４４６；４４８，４５０；４５２，４５４により分圧されてマイクロコンピュータ４２０のＡ／Ｄポートに印加される。抵抗４４４，４４６；４４８，４５０；４５２，４５４で分圧するのは、通常、電池４３０，４３４，４３６の出力電圧がマイクロコンピュータ４２０の電源電圧より高いからである。詳細は後述するが、マイクロコンピュータ４２０は、抵抗４４４，４４６；４４８，４５０；４５２，４５４からの入力電圧により、各電源接続端子４２８ａ，４２８ｂ；４３２ａ，４３２ｂ，４３２ｃに接続する電池４３０，４３４，４３６の出力電圧、ひいては残量を検出できる。
【００５０】
図示しない電源スイッチをオンにすると、ＤＣ／ＤＣコンバータ４４２が本体４１０の各部に電源を供給する。撮像素子４１４は撮影レンズ４１２による光学像を電気信号に変換し、カメラ信号処理回路４１６は、撮像素子４１４の出力信号をカメラ信号処理する。カメラ信号処理回路４１６の出力信号は記録系４１８と加算器４２４に印加される。記録系４１８はマイクロコンピュータ４２０の指示に従い、入力映像信号を記録媒体に記録する。マイクロコンピュータ４２０はまた、必要に応じてＣＧ４２２に所望の文字記号の画像信号を発生させる。加算器４２４はカメラ信号処理回路４１６の出力映像信号にＣＧ４２２からの画像信号を混合又はスーパーインポーズし、電子ビュー・ファインダ４２６に供給する。これにより、撮像素子４１６に入射する光学像と、カメラ情報、その他の情報が電子ビュー・ファインダ４２６の画面上に表示される。
【００５１】
本発明で主要な、電源に関する部分を詳細に説明する。使用者は、スイッチ４４０により、電池４３０，４３４，４３６の何れを電源として使用するかを任意に選択できる。その判断のための情報として、マイクロコンピュータ４２０は以下の情報を電子ビュー・ファイダ４２６の画面上に表示させることができる。
【００５２】
マイクロコンピュータ４２０は、抵抗４４４，４４６；４４８，４５０；４５２，４５４により分圧された各電源接続端子４２８ａ，４２８ｂ；４３２ａ，４３２ｂ，４３２ｃの電圧、即ち、電池４３０，４３４，４３６の出力電圧を所定の基準電圧と比較する。図１６は、電池一般の放電特性を示す。電池の種類によって定量的な相違はあるものの、どのような電池も、定性的には図１６に示すような放電特性を示す。従って、電池の端子電圧から残量を推測できる。
【００５３】
マイクロコンピュータ４２０は予め記憶する基準値と入力電圧値とを比較して、接続される各電池４３０，４３４，４３６の残量を推測し、その推測結果に応じた残量表示の画像信号をＣＧ４２２に発生させる。ＣＧ４２２の出力信号は加算器４２４を介して電ビュー・ファインダ４２６に印加される。これにより、電池４３０，４３４，４３６の残量が、例えば図１７に示すように、図形表示される。図１７で、上段が電池４３０の残量、中段が電池４３４の残量、下段が電池４３６の残量を表示する。同時に、電源として使用している電池（スイッチ４４０の接続する接点から分かる。）を表示してもよい。使用者は、図１７に示されるような表示を見て、接続される各電池４３０，４３４，４３６の残量を知ることができ、この情報に基づきスイッチ４４０により電源として使用する電池を選択する。図１８は、残量を５段階で区分する場合の残量表示の一例である。
【００５４】
図１９は、図１５に示す実施例の変更例の概略構成ブロック図である。図１９に示す実施例では、図１５に示す実施例のスイッチ４４０の代わりに、逆流防止ダイオード４６０，４６２，４６４を介して電源接続端子４２８ａ，４３２ａ，４３２ｂをＤＣ／ＤＣコンバータ４４２のＤＣ入力に接続した。図１５に図示したのと同じ構成要素には、同じ符号を付してある。
【００５５】
図１５に示す実施例では、スイッチ４４０を切り替える瞬間に、ＤＣ／ＤＣコンバータ４４２に電源が供給されなくなるので、そのために撮影が中断されてしまう可能性があるが、図１９に示すようにダイオード４６０，４６２，４６４を用いると、その心配がない。また、電池４３０，４３４，４３６の交換の際にも撮影を連続して行なえる。
【００５６】
各電池４３０，４３４，４３６の残量を図１７に示すように同時に表示する実施例を説明したが、表示領域に制限がある場合、同一場所に操作スイッチなどで切り替えて各電池４３０，４３４，４３６の残量を表示するようにしてもよい。電子ビュー・ファインダに表示する以外にも、操作パネルの表示画面等に表示してもよい。内蔵又は外付の電池の本数は、図示実施例に限定されず、２本以上であれば良い。
【図面の簡単な説明】
【００５７】
【図１】本発明の第１実施例の概略構成ブロック図である。
【図２】図１に示す実施例の動作フローチャートである。
【図３】本発明の第２実施例の概略構成ブロック図である。
【図４】図２に示す実施例の動作フローチャートである。
【図５】従来例の概略構成ブロック図である。
【図６】電源電池の消耗を警告するモニタ画面の一例である。
【図７】本発明の第３実施例の概略構成ブロック図。
【図８】図７に示す実施例の動作フローチャートである。
【図９】電源電池の消耗の警告メッセージ画面の一例である。
【図１０】電池の消耗と電池パック交換のメッセージ例である。
【図１１】本体装着の電池の交換を促すメッセージ例である。
【図１２】本発明の第４実施例の概略構成ブロック図である。
【図１３】図１２に示す実施例の動作フローチャートである。
【図１４】電池パックの交換を促すメッセージ例である。
【図１５】カメラ一体型ＶＴＲに適用した本発明の第５実施例の概略構成ブロック図である。
【図１６】電池の放電特性図である。
【図１７】図１５に示す実施例の電池残量の表示例である。
【図１８】電池残量と表示態様の遷移図である。
【図１９】本発明の第６実施例の概略構成ブロック図である。
【符号の説明】
【００５８】
１０：磁気記録再生装置の本体
１２：電池
１４：逆流防止ダイオード
１６：電源供給端子
１８：電池パック
２０ａ，２０ｂ：電池
２２ａ，２２ｂ：逆流防止ダイオード
２４：外部接続端子
２６：比較回路
２８：スイッチ
３０：マイクロコンピュータ
３２：文字情報発生回路
３４：記録再生回路
３６：加算器
３８：映像出力端子
４０：映像モニタ
４２：マイクロコンピュータ
４４：Ａ／Ｄ変換器
１１０：磁気記録再生装置の本体
１１２：電池
１１４：逆流防止ダイオード
１１６：電源供給端子
１１８：電池パック
１２０ａ，１２０ｂ：電池
１２２ａ，１２２ｂ：逆流防止ダイオード
１２４：外部接続端子
１２６：比較回路
１２８：マイクロコンピュータ
１３０：文字情報発生回路
１３２：記録再生回路
１３４：加算器
１３６：映像出力端子
１３８：映像モニタ
２１０：磁気記録再生装置の本体
２１２：電池
２１４：逆流防止ダイオード
２１６：電源供給端子
２１８：電池パック
２１８ａ，２１８ｂ：電池
２２０：外部接続端子
２２２：逆流防止ダイオード
２２４，２２６，２２８：Ａ／Ｄ変換器
２３０：マイクロコンピュータ
２３２：文字情報発生回路
２３４：記録再生回路
２３６：加算器
２３８：映像出力端子
２４０：映像モニタ
３１０：磁気記録再生装置の本体
３１２：電池
３１４：逆流防止ダイオード
３１６：電源供給端子
３１８：選択スイッチ
３２０：電源供給端子
３２２：電池パック
３２２ａ，３２２ｂ：電池
３２４：外部接続端子
３２６：逆流防止ダイオード
３２８，３３０：Ａ／Ｄ変換器
３３２：マイクロコンピュータ
３３４：文字情報発生回路
３３６：記録再生回路
３３８：加算器
３４０：映像出力端子
３４２：映像モニタ
４１０：カメラ一体型記録再生装置の本体
４１２：撮影レンズ
４１４：撮像素子
４１６：カメラ信号処理回路
４１８：記録系
４２０：マイクロコンピュータ
４２２：キャラクタ・ジェネレータ（ＣＧ）
４２４：加算器
４２６：電子ビュー・ファインダ（ＥＶＦ）
４２８ａ，４２８ｂ：電源接続端子
４３０：電池
４３２ａ，４３２ｂ，４３２ｃ：電源接続端子
４３４，４３６：電池
４３８：外付け電池用ホルダー
４４０：スイッチ
４４２：ＤＣ／ＤＣコンバータ
４４４，４４６，４４８，４５０，４５２，４５４：抵抗
４６０，４６２，４６４：逆流防止ダイオード
【図１】
2006133231.tif 000003
【図２】
2006133231.tif 000004
【図３】
2006133231.tif 000005
【図４】
2006133231.tif 000006
【図５】
2006133231.tif 000007
【図６】
2006133231.tif 000008
【図７】
2006133231.tif 000009
【図８】
2006133231.tif 000010
【図９】
2006133231.tif 000011
【図１０】
2006133231.tif 000012
【図１１】
2006133231.tif 000013
【図１２】
2006133231.tif 000014
【図１３】
2006133231.tif 000015
【図１４】
2006133231.tif 000016
【図１５】
2006133231.tif 000017
【図１６】
2006133231.tif 000018
【図１７】
2006133231.tif 000019
【図１８】
2006133231.tif 000020
【図１９】
2006133231.tif 000021